(57)【要約】      （修正有）【課題】自動販売機などの筐体上にこの筐体の横幅に応じた大きさを有する太陽電池を立設した状態に簡単且つ確実に取り付けることができる取付装置を提供する。【解決手段】当接板１１、２１に太陽電池Ｂの端部挟持フレーム１２、２２を上方に向かって突設してなる一対の取付治具１０、２０における前記当接板を水平棒状体３１の両端部に互いに接離する方向に移動自在に配設し、両側の前記当接板を筐体Ａの両側面に当接させた状態にして前記水平棒状体の両端螺子部３４ａに螺合したナット３４ｂにより前記当接板を筐体Ａの両側面に圧着、固定し、筐体Ａの横幅間隔を存して対向する上記両側の前記挟持フレームに太陽電池Ｂの両側端部を挟着させて筐体Ａの天板上に太陽電池Ｂを立設状態に配設する。【選択図】図１
2020047224.tif 000002
【特許請求の範囲】
【請求項１】
筐体の上部一側面に当接させる当接板に太陽電池の一側端縁部を挟持する挟持フレームを上方に向かって突設してなる一方の取付治具と、筐体の上部他側面に当接させる当接板に太陽電池の他側端縁部を挟持する挟持フレームを上方に向かって突設してなる他方の取付治具と、両端部にこれらの両側取付治具の当接板をそれぞれ互いに接離する方向に移動可能に取り付ける水平棒状体と、この水平棒状体の両端部に取り付けた上記両側の当接板を筐体の両側面にそれぞれ圧着、固定させる締付手段とを備えてなることを特徴とする太陽電池の取付装置。
【請求項２】
挟持フレームは前側フレームと後側フレームとからなり、後側フレームの下端は当接板の上端に一体に接続している一方、前側フレームは後側フレームに蝶番によって開閉自在に枢着してあり、さらに、対向する前後フレームの上下端部間をボルト・ナットによって締め付けるように構成していることを特徴とする請求項１に記載の太陽電池の取付装置。
【請求項３】
太陽電池は可撓性を有するシート状太陽電池であり、このシート状太陽電池の背面に支持板を重ね合わせて支持板と共に両側の取付治具の対向する挟持フレームにその両側端部を挟持させるように構成していることを特徴とする請求項１又は請求項２に記載の太陽電池の取付装置。
【請求項４】
シート状太陽電池の表面に、太陽電池素子の電極に接続した集電用導電テープを貼着していると共にこの集電用導電テープを挟持フレームの前側フレームの内面に設けた導電体層を介してリード線に接続してあり、このリード線を自動販売機又は上記自動販売機に設けている表示パネルに接続するように構成していることを特徴とする請求項１または請求項３に記載の太陽電池の取付装置。
【請求項５】
水平棒状体は、両側の取付治具の前端部に設けている挿通孔に両端部を挿通している前側水平棒状体と、両側の取付治具の後端部に設けている挿通孔に両端部を挿通している後側水平棒状体とからなり、上記前側水平棒状体を筐体の上面に載せる一方、上記後側水平棒状体を筐体の背面に当接させた状態にして締付手段により対向する両側の当接板を筐体の一側面と他側面とにそれぞれ圧着させるように構成していることを特徴とする請求項１に記載の太陽電池の取付装置。
【請求項６】
締付手段は、水平棒状体の両側端部に設けて螺子部と、この螺子部に進退自在に螺合したナットとからなることを特徴とする請求項１に記載の太陽電池の取付装置。
【発明の詳細な説明】
【技術分野】
【０００１】
本発明は、太陽電池の取付装置、特に、飲料水などの自動販売機や衣服などの商品展示販売機等の本体である筐体上に取り付けて自動販売機側に電力を供給するための太陽電池の取付装置に関する。
【背景技術】
【０００２】
従来から、飲料水等の自動販売機の本体である筐体に太陽電池を配設して太陽電池からの電力を自動販売機に必要な電力の一部として使用するように構成した自動販売機が知られている。
【０００３】
このように自動販売機としては、例えば、特許文献１には自動販売機の本体キャビネット（筐体）の天面にこの天面を覆うようにして太陽電池を取り付けている飲料用自動販売機が記載されてあり、特許文献２には、タバコ自動販売機の直方体形状の筐体上面にこの筐体上面を被覆するようにして太陽電池を配列して、この太陽電池からの電力を広告情報に使用することが記載されている。
【０００４】
また、特許文献３、４には、自動販売機の外箱（筐体）の天板上に、商品の照明装置に電力を供給するための太陽電池を斜め上方に向かって立設している自動販売機が記載されている。
【０００５】
さらに、上記特許文献４には、自動販売機の天板上に太陽電池（ソーラパネル）を斜め上方に向けた状態に固定するための具体的な装置が開示されている。この装置は太陽電池を取り付けた矩形枠状の載置台（以下、矩形枠とする）と、この矩形枠の前端側を自動販売機の筐体の天板における前端部にボルト・ナットによって固定し、矩形枠の後部背面に固定脚の上端を固着してこの固定脚の下端を自動販売機の筐体の背面に螺子止めすることにより、矩形枠を前端から後端に向かって斜め上方に傾斜させた状態で天板上に取り付けるように構成している。
【先行技術文献】
【特許文献】
【０００６】
【特許文献１】特開２０１３−２００６３４号公報
【特許文献２】特開２００３−３４６２３２号公報
【特許文献３】特開平４−３１２１９８号公報
【特許文献４】特開２０１１−１８６８８２号公報
【発明の概要】
【発明が解決しようとする課題】
【０００７】
しかしながら、上記特許文献１、２に記載されているように、太陽電池を自動販売機の筐体の天板上にこの天板を被覆した状態、即ち、受光面を上方に向かって垂直に向けた状態となるように取り付けると、太陽電池の受光面上に塵埃等が付着、堆積して発電効率が著しく低下する虞れがある。
【０００８】
一方、上記特許文献３、４に記載されているように、自動販売機の筐体上に太陽電池をその前端から後端に向かって斜め上方に傾斜するように取り付けると、その傾斜度が大きい場合には、塵埃を傾斜した受光面に沿って下方に移動させて排除することが可能となるが、太陽電池は一定の大きさを有する矩形枠内に取り付けられているため、横幅の広い大型の自動販売機の天板上に配設すると、面積の広い天板の両側部に太陽電池が配設されない部分が発生して大型の自動販売機に要求される消費電力を充分の供給することができなくなるといった問題点がある。
【０００９】
また、横幅の狭い小型の自動販売機の天板上に配設すると、太陽電池の両側端部が天板の両側端から外側方にはみ出すといった問題点が発生する。従って、大小の自動販売機に適応した大きさを有する太陽電池を採用するには、横幅が大小の自動販売機の天板の横幅となるように形成した矩形枠を作製しておく必要があるといった問題点が生じる。
【００１０】
さらに、矩形枠によって囲まれた太陽電池を自動販売機の天板上に斜め上方に傾斜させた状態で固定する手段として、矩形枠の前端縁部を自動販売機の筐体の天板の前端部にボルト・ナットによって固定し、矩形枠後部背面に取り付けた固定脚の下端を自動販売機の筐体の背面に螺子止めする手段を採用しているため、予め、自動販売機の筐体に矩形枠を固定するためのボルト挿通孔を穿設しておく必要があり、取付作業に手間を要すると共に自動販売機がボルト挿通孔によって損傷するといった問題点がある。
【００１１】
本発明はこのような問題点に鑑みてなされたもので、その目的とするところは、自動販売機などの筐体上にこの筐体の横幅に応じた大きさを有する太陽電池を立設した状態となるように簡単且つ確実に取り付けることができ、その上、組立てや解体、取扱いが容易で構造も簡易な太陽電池の取付装置を提供するにある。
【課題を解決するための手段】
【００１２】
上記目的を達成するために本発明の太陽電池の取付装置は、筐体の上部一側面に当接させる当接板に太陽電池の一側端縁部を挟持する挟持フレームを上方に向かって突設してなる一方の取付治具と、筐体の上部他側面に当接させる当接板に太陽電池の他側端縁部を挟持する挟持フレームを上方に向かって突設してなる他方の取付治具と、両端部にこれらの両側取付治具の当接板をそれぞれ互いに接離する方向に移動可能に取り付ける水平棒状体と、この水平棒状体の両端部に取り付けた上記両側の当接板を筐体の両側面にそれぞれ圧着、固定させる締付手段とを備えてなることを特徴とする。
【００１３】
上記のように構成した太陽電池の取付装置において、請求項２に係る発明は、上記挟持フレームは前側フレームと後側フレームとからなり、後側フレームの下端は当接板の上端に一体に接続している一方、前側フレームは後側フレームに蝶番によって開閉自在に枢着してあり、さらに、対向する前後フレームの上下端部間をボルト・ナットによって締め付けるように構成していることを特徴とする。
【００１４】
請求項３に係る発明は、上記太陽電池は可撓性を有するシート状太陽電池であり、このシート状太陽電池の背面に支持板を重ね合わせて支持板と共に上記両側の取付治具の対向する挟持フレームにその両側端部を挟持させるように構成していることを特徴とする。
【００１５】
さらに、請求項４に係る発明は、上記シート状太陽電池の表面に、太陽電池素子の電極に接続した集電用導電テープを貼着していると共にこの集電用導電テープを上記挟持フレームの前側レームの内面に設けた導電体層を介してリード線に接続してあり、このリード線を自動販売機の筐体に設けている表示パネル等に接続するように構成していることを特徴とする。
【００１６】
また、請求項５に係る発明は、上記両側の取付治具を互いに接離する方向に案内する水平棒状体は、両側の取付治具の上端部に設けている挿通孔に両端部を挿通している前側水平棒状体と、両側の取付治具の後端部に設けている挿通孔に両端部を挿通している後側水平棒状体とからなり、上記前側水平棒状体を筐体の上面に載せる一方、上記後側水平棒状体を筐体の背面に当接させた状態にして締付手段により対向する両側の当接板を筐体の一側面と他側面とにそれぞれ圧着させるように構成していることを特徴とする。
【００１７】
請求項６に係る発明は、上記締付手段は、水平棒状体の両側端部に設けて螺子部と、この螺子部に進退自在に螺合したナットとからなることを特徴とする。
【発明の効果】
【００１８】
請求項１に係る発明によれば、太陽電池の取付装置における一方の取付治具と他方の取付治具との当接板を水平棒状体に沿って移動させて自動販売機などの筐体の一側面と他側面とにそれぞれ当接させるように構成しているので、筐体の横幅寸法に応じて両側当接板間の間隔を変化させることができ、従って、横幅寸法が異なる筐体に対しても両取付治具の当接板を筐体の両側面に当接させて締付手段によりこれらの当接板を筐体の両側面に圧着させることにより、本発明の太陽電池取付装置を筐体上に簡単且つ強固に取り付けることができる。
【００１９】
さらに、両取付治具の当接板から太陽電池の側端部を挟持する挟持フレームを上方に向かって突設しているので、筐体の後端部上方の空間部を利用して筐体の横幅寸法に応じた大きさを有する太陽電池を筐体の上面から上方に向かって立設した状態に配設することができ、従って、太陽電池上に塵埃等が付着するのを極力少なくして太陽光を効率よく受光しながら、筐体側に必要な電力を供給することができる。
【００２０】
また、上記筐体上に対する太陽電池の取付装置は、上記のように、当接板に太陽電池の一側端縁部を挟持する挟持フレームを上方に向かって突設してなる一方の取付治具と、当接板に太陽電池の他側端縁部を挟持する挟持フレームを上方に向かって突設してなる他方の取付治具と、これらの両取付治具を互いに接離する方向に案内する水平棒状体と、両当接板をそれぞれ筐体の両側面に圧着、固定させる締付手段とからなるものであるから、構造が簡単で取扱いが容易であり、筐体上への組立てや筐体上からの解体も能率よく行うことができる。
【００２１】
請求項２に係る発明によれば、太陽電池の側端部を挟持する上記挟持フレームは前側フレームと後側フレームとからなり、後側フレームの下端は当接板の後端部の上端面に一体に接続している一方、前側フレームは後側フレームに蝶番によって開閉自在に枢着しているので、両挟持フレーム間に配設可能な形状に形成している矩形状の太陽電池を、筐体の上面空間部を利用して両挟持フレームの後側フレームの前面間に簡単に配設することができ、この太陽電池の両側端部を両側の後側フレームの前面に当接させた状態にして前側フレームを閉じることにより、太陽電池を筐体の上面から上方に向かって立設した状態となるように取り付けることができる。
【００２２】
その上、挟持フレームの対向する前後フレームの上下端部間をボルト・ナットによって締め付けるように構成しいるので、太陽電池の両側端部を対向する挟持フレームに強固に挟着させた状態にして取り付けておくことができ、挟持フレームから太陽電池が不測に外れたり、取り外されたりするのを阻止することができる。
【００２３】
請求項３に係る発明によれば、上記太陽電池は可撓性を有するシート状太陽電池であり、このシート状太陽電池の背面に支持板を重ね合わせて支持板と共に上記両取付治具の対向する挟持フレームに両側端部を挟持させるように構成しているので、シート状太陽電池が可撓性を有するにもかかわらず、風圧等によって変形することもなく、緊張した状態で正確に挟持フレーム間に配設することができる。
【００２４】
請求項４に係る発明によれば、上記太陽電池の取付装置の両側の挟持フレーム間に取り付けられて自動販売機などの筐体上に立設した状態で配設された太陽電池からの電力を、リード線を介して太陽電池直下の自動販売機側に簡単に供給し得る給電構造を提供することができ、自動販売機などの筐体に設けた表示パネルに電力を供給して広告や非常時における緊急情報などの表示を行うことができる。
【００２５】
請求項５に係る発明によれば、挟持フレームの下端に当接板を一体に設けてなる一対の取付治具を自動販売機などの筐体の横幅間隔を存して筐体に配設するための上記水平棒状体は、対向する当接板の上端部に設けた挿通孔にその両端部を挿通している前側の水平棒状体と、対向する当接板の後端部における上下部に設けた挿通孔に両端部を挿通している後側の水平棒状体とからなるので、上記前側の水平棒状体を筐体の上面に載せ、上記後側の水平棒状体を筐体の背面に当接させた状態にすることによって、両取付治具が妄動することなく、これらの取付治具における当接板から上方に突出した挟持フレームを太陽電池の取付位置に簡単且つ正確に対向させた状態に配設することができる。
【００２６】
さらに、請求項６に係る発明によれば、両取付治具の当接板を筐体の側面に圧着させるための上記締付手段は、水平棒状体の両側端部に設けて螺子部と、この螺子部に進退自在に螺合したナットとからなるので、ナットを螺進させることによって当接板を筐体の側面に簡単に圧着させることができ、筐体に対して本発明太陽電池の取付装置を正確に且つ強固に取り付けることができる。
【図面の簡単な説明】
【００２７】
【図１】自動販売機の筐体上に取り付けた本発明太陽電池の取付装置の斜視図。
【図２】その縦断側面図。
【図３】太陽電池を挟持した状態の横断面図。
【図４】本発明太陽電池の取付装置の分解斜視図。
【図５】取付治具の作製方法を示す斜視図。
【図６】本発明の別な実施例を示す分解斜視図。
【発明を実施するための形態】
【００２８】
本発明の具体的な実施例を図面について説明すると、図１、図２において、自動販売機の本体であるボックス形状に形成された筐体Ａ上に矩形状の太陽電池Ｂを立設状態で配設するための取付装置は、自動販売機の筐体Ａの上部の一側面に当接させる当接板11とこの当接板11から上方に突設している挟持フレーム12とからなる一方の取付治具10と、自動販売機の上記筐体Ａの一側面に平行な他側面の上部に当接させる当接板21とこの当接板21から上方に突設している挟持フレーム22とからなる他方の取付治具20と、これらの両側取付治具10、20を互いに接離する方向に案内する水平棒状体31と、両側取付治具10、20の当接板11、22を上記筐体Ａの両側面にそれぞれ圧着、固定させる締付手段34とを備えている。    
【００２９】
上記一方の取付治具10における挟持フレーム12は、太陽電池Ｂの縦幅よりも長い長方形状の前側フレーム12a と後側フレーム12b とからなり、これらの前後フレーム12a 、12b
によって太陽電池Ｂの一側端部を挟持するように構成している。
【００３０】
同様に、上記他方の取付治具20における挟持フレーム22も、太陽電池Ｂの縦幅よりも長い長方形状の前側フレーム22a と後側フレーム22b とからなり、これらの前後フレーム22a 、22b によって太陽電池Ｂの他側端部を挟持するように構成している。
【００３１】
さらに、上記両側の取付治具10、20の挟持フレーム12、22における後側フレーム12b 、22b の下端はそれぞれ上記当接板11、12の後端部における上端に連なるように接続していて当接板11、21の後端部から上方に垂直に突設している。
【００３２】
具体的には、後側フレーム12b 、22b の下端から前方に向かって後側フレーム12b 、22b と同一幅を有する水平フレーム13、23を突設していると共にこれらの水平フレーム13、23の外側端縁から上記当接板11、21の上端をそれぞれ下方に向かって直角に屈曲させることによってこれらの当接板11、21の後端部から上記挟持フレーム12、22の後側フレーム12b 、22b を上方に向かって突設させている。なお、当接板11、21の大きさ、形状は特に限定されないが、筐体Ａの側面の上部に当接させた際に、その上端縁部が筐体Ａの上面から突設し、後端部が筐体Ａの背面から後方に突設するように形成している。
【００３３】
上記当接板11や水平フレーム13及び後側フレーム12b を形成するには、図５に示すように、後側フレーム12b を形成するための帯状板材12b'' の一端に上記水平フレーム13を形成するための帯状板材13''を一体に延設していると共に、この帯状板材13''の外側端に上記当接板11を形成するための板材11''を外側方に向かって延設してなる形状を有する平坦な金属板を作製しておき、上記連なった帯状板材12b'' 、13''の連設部を直角に折り曲げることによって後側フレーム12b と水平フレーム13をそれぞれ形成すると共に上記帯状板材13''の外側端に連設している板材11''を下方に直角に折り曲げることに当接板11を形成する。
【００３４】
従って、上記当接板11の上端から水平フレーム13がそれぞれ内側方に向かって水平に屈折してこの水平フレーム13によって当接板11の上端フランジ部を形成している。他方の取付治具20の当接板21や水平フレーム23及び後側フレーム22b も上記同様にして形成することができる。
【００３５】
なお、両側の取付治具10、20における後側フレーム12b 、22b と水平フレーム13、23とを図６に示すように別体に形成し、この後側フレーム12b 、22b の下端部に該下端に対して直角に屈折した座板部12b'、22b'を設けると共にこの座板部12b'、22b'にボルト挿通孔17、27をそれぞれ設けておく一方、当接板11、21の上端フランジ部を形成している水平フレーム13、23に前後方向に一定間隔毎にボルト取付孔18、28をそれぞれ設けておき、後側フレーム12b 、22b の下端座板部12b'、22b'を水平フレーム13、23の上面における所望の部分に重ね合わせてボルト・ナットにより後側フレーム12b 、22b を着脱自在に取り付けるように構成しておいてもよい。その他の構成については上記実施例と同じであるので同一部分には同一符号を伏して詳細な説明を省略する。
【００３６】
このように構成すると、太陽電池Ｂを筐体Ａの天面における前部、中央部、後部のいずれの位置からでも上方に向かって立設させることができ、また、取扱いが容易となるといった利点を有する。
【００３７】
なお、上記挟持フレーム12、22の後側フレーム12b 、22b を水平フレーム13、23に対して直角に設けて太陽電池Ｂの受光面を水平方向に向けるようにしているが、斜め後方に所定の角度でもって傾斜させて、太陽電池Ｂの受光面を斜め上方に向けるように構成していおいてもよい。
【００３８】
上記挟持フレーム12、22の前側フレーム12a 、22a は、その外端縁に後方に向かって直角に屈折した一体幅を有するフランジ部12a'、22a'を設けてあり、このフランジ部12a'、22a'の後端部と前側フレーム12a 、22a の外端部との複数箇所を蝶番35によって連結して前側フレーム12a 、22aを後側フレーム12b 、22bに対してそれぞれ開閉自在に構成している。
【００３９】
従って、一方の挟持フレーム12の前後フレーム12a 、12b の対向する内面間によって太陽電池Ｂの一側端部を挟持する縦溝が形成され、他方の挟持フレーム22の前後フレーム22a 、22b の対向する内面間によって太陽電池Ｂの他側端部を挟持する縦溝が形成されている。
【００４０】
なお、本発明の実施例においては、上記太陽電池Ｂとしては可撓性を有するシート状太陽電池を用いており、このシート状太陽電池Ｂの背面に横幅がシート状太陽電池Ｂの横幅と同じで、縦幅がシート状太陽電池Ｂの縦幅よりも若干長い一定厚みを有する矩形状の支持板36を重ね合わせて支持板36と共に上記対向する挟持フレーム12、22にその両側端部を挟持させるように構成している。シート状太陽電池Ｂはその背面を支持板36の前面に貼着するか、或いは、両側端部を小螺子によって支持板36の両側端部に固定することによって支持板36の前面に装着されている。
【００４１】
上記両挟持フレーム12、22における前側フレーム12a 、22a と後側フレーム12b 、22b
の上下端部は、太陽電池Ｂを挟持した際に太陽電池Ｂの両端部からそれぞれ上下方向に突出する長さに形成されてあり、これらの上下突出端部にボルト挿通孔37、38を設けて、これらの前後に対向するボルト挿通孔37、38にボルト39を挿通し、このボルト39にナット40を螺締することによってシート状太陽電池Ｂの両側端部を支持板36と共に挟持フレーム12、22によって挟着するように構成している。
【００４２】
また、上記シート状太陽電池Ｂの表面の上下部には、太陽電池素子の電極に接続した集電用導電テープ41が貼着されている一方、上記両挟持フレーム12、22におけるいずれかの挟持フレーム（図においては他方の挟持フレーム22）の前側フレーム22a の背面には図４に示すように、この前側フレーム12a 、22a を閉止した時に上記集電用導電テープ41のそれぞれの端部に接続する導電体層42が設けられてあり、この導電体層42のそれぞれから該導電体層42に接続したリード線43が引き出されている。
【００４３】
上記両取付治具10、20を互いに接離する方向に案内するための上記水平棒状体31は、筐体Ａの横幅に対応した同じ長さを有する前側水平棒状体31a と後側水平棒状体32b とからなり、前側水平棒状体31a は、その両端部を上記両取付治具10、20における当接板11、21の上端部の前部又は中央部にそれぞれ設けている挿通孔14、24に挿通することによって、両取付治具10、20をこの前側水平棒状体31の長さ方向に移動させ、左右に対向する当接板11、21間の間隔を自動販売機の横幅よりも大きい間隔から狭めるように構成している。
【００４４】
さらに、上記後側水平棒状体31b としては、この実施例においては２本使用し、これらの後側水平棒状体31b 、31b を上下に間隔を存した状態にして、それぞれの両端部を対向する当接板11、21の後端部における上下部にそれぞれ設けている対向する上側挿通15、25と下側挿通孔16、26とに挿通することによって、両取付治具10、20をこれらの後側水平棒状体31b の長さ方向に沿って移動させて左右に対向する当接板11、21間の間隔を自動販売機の横幅よりも大きい間隔から狭めるように構成している。
【００４５】
また、筐体Ａの一側面と他側面に当接する両取付治具10、20の当接板11、21を筐体Ａの両側面に圧着させた状態で固定させるための締付手段34は、当接板11、21の上端部に設けた挿通孔14、24に挿通している前側水平棒状体31a の両端部に設けた螺子部34a と、この螺子部34a に螺合するナット34b とから構成している。同様に、当接板11、21の後端部側に配設する上記後側水平棒状体31b 、31b の両端部に設けた螺子部34a'、34a'と、これらの螺子部34a'、34a'に螺合するナット34b'、34b'とによって当接板11、21の締付手段34を構成している。
【００４６】
このように構成した太陽電池の取付装置によって自動販売機の筐体Ａの天面上に太陽電池Ｂを立設状態に配設するには、まず、自動販売機の筐体Ａの天面上に長さ方向を筐体Ａの横幅方向に向けて前側水平棒状体31a を載置し、筐体Ａの両側面の上端から外側方に突出するこの水平棒状体31a の両端部（長さ方向の両側端部）に、一方の取付治具10の当接板11の上端部に設けている挿通孔14と他方の取付治具20の当接板21の上端部に設けている挿通孔24とをそれぞれ挿通させると共に、対向する取付治具10、20の後端部の上部の対向する挿通孔15、25と、下部の対向する挿通孔16、26とにそれぞれ後側水平棒状体31b 、31b の両端部を挿通してこれらの後側水平棒状体31b 、31b を筐体Ａの背面に当接させることにより、両側の取付治具10、20を筐体Ａに配設する。
【００４７】
なお、後側水平棒状体31b は、上下に２本、使用しているが、対向する両側の取付治具10、20の後端部における上下方向の中間部間を連結する一本の水平棒状体であってもよく、要するに、両側の取付治具10、20の上端部間を連結させる上記前側水平棒状体31a を筐体Ａの上面に載置した状態で取付治具10、20の後端部間を連結させる後側水平棒状体31b
を筐体Ａの背面に当接させて、両側の取付治具10、20の当接板11、21から上方に突設している挟持フレーム12、22を筐体Ａの上面における所定の位置に正確に位置させるようにしておけばよい。
【００４８】
次いで、上下前側水平棒状体31a と後側水平棒状体31b とにおける両側の当接板11、21から外側に突出している両端螺子部34a 、34a'にナット34b 、34b'を螺合させてこれらのナット34b 、34b'を両側の当接板11、21の外側面に当接させると共にその状態からさらに螺進させると、両側の当接板11、21が上記前後の水平棒状体31a 、31b に案内されながら互いに接近する方向に移動してその内側面を筐体Ａの上部における両側面にそれぞれ当接させる。
【００４９】
この状態にしてナット34b 、34b'を締め付けると、両側の取付治具10、20における当接板11、21が筐体Ａの両側面にそれぞれ強固に圧着して両側の取付治具10、20を筐体Ａにこの筐体Ａの横幅間隔を存して対向した状態となるように装着することができる。
【００５０】
このように、筐体Ａに両側の取付治具10、20を装着すると、これらの取付治具10、20の当接板11、21から上方に突設している挟持フレーム12、22が筐体Ａの横幅寸法に応じた間隔を存して対向する。
【００５１】
次いで、上記両側の挟持フレーム12、22における前側フレーム12a 、22a を後側フーム12b 、22b に対して蝶番35を介して前方に開放した状態にし、背面が支持板36によって支持されているシート状太陽電池Ｂを上記両側の挟持フレーム12、22間に配してその両側端部を後側フーム12b 、22b の前面に当接させたのち、前側フレーム12a 、22a を閉じることによってシート状太陽電池Ｂの両側端部を支持板36と共に前後フレーム12a 、12b ；22a 、22b によって挟持させ、しかるのち、ボルト・ナット39、40によりフレーム12a 、12b ；22a 、22b の上下端部間を締め付けることにより、挟持フレーム12、21によってシート状太陽電池Ｂの両側端部を強固に挟着させる。
【００５２】
なお、シート状太陽電池Ｂの横幅は、筐体Ａの横幅間隔を存して対向する両側の取付治具10、20の挟持フレーム12、22にその両側端部を挟持させることができるように、シート状太陽電池Ｂを配設する筐体Ａの横幅に応じた長さ（横幅）に形成されている。
【００５３】
こうして、本発明の太陽電池の取付装置によって、自動販売機の筐体Ａ上にこの筐体Ａの横幅に略等しい横幅を有する矩形状の太陽電池Ｂを立設状態に配設したのち、シート状太陽電池Ｂから外部に引き出しているリード線43を自動販売機に設けている広告等の表示パネルＣ等に接続してシート状太陽電池Ｂからの電力をこの表示パネルＣ等に供給する。    
【００５４】
また、上記太陽電池の取付装置を筐体Ａから取り外すには、まず、シート状太陽電池Ｂを挟着している両側の挟持フレーム12、22における前側フレーム12a 、22a を開いてシート状太陽電池Ｂを取り外すと共に、前後水平棒状体31a 、31b の両端螺子部34a 、34a'に螺合しているナット34b 、34b'を緩めて筐体Ａの両側面に対する両側当接板11、21の圧着を解くと共にナット34b 、34b'を前後水平棒状体31a 、31b の両端螺子部34a 、34a'から取り外したのち前後水平棒状体31a 、31b から両側取付治具10、20の当接板11、21を取り外す。
【００５５】
なお、以上の実施例においては、両側の取付治具10、20の当接板11、21の上端部間と後端部間とをそれぞれ前側水平棒状体31a と後側水平棒状体31b によって連結しているが、後側水平棒状体31b を使用することなく、両側の当接板11、21の後端部を内側に向かって直角に屈折させて筐体Ａの背面両側部に当接させるフランジ部を形成しておき、このフランジ部を筐体Ａの背面両側部にそれぞれ当接させた状態にして当接板11、21の上端部間を連結する水平棒状体（前後に２本設けおいてもよい）の両側螺子部に螺合したナットにより両側の当接板11、21を筐体Ａの両側面に圧着、固定させるように構成してもよい。
【００５６】
また、上記実施例においては両側の取付治具10、20の挟持フレーム12、22によってシート状太陽電池Ｂを取り付けているが、太陽電池パネルの取付装置として採用してもよい。
【符号の説明】
【００５７】
Ａ  筐体
Ｂ  シート状太陽電池
10、20  取付治具
11、21  当接板
12、22  挟持フレーム
12a 、22a   前側フレーム
12b 、22b   後側フレーム
14〜16、24〜26  挿通孔
31  水平棒状体
31a   前側水平棒状体
32b   後側水平棒状体
34    締付手段
【図１】
2020047224.tif 000003
【図２】
2020047224.tif 000004
【図３】
2020047224.tif 000005
【図４】
2020047224.tif 000006
【図５】
2020047224.tif 000007
【図６】
2020047224.tif 000008